(57)【要約】【課題】外部装置へ撮像した画像および収音した音声を出力する場合、出力された音声に撮像装置のレンズ駆動に伴うノイズ音が含まれる、という課題がある。【解決手段】デジタルカメラ１００は、フォーカスレンズ３１０、ズームレンズ３１２および絞り３１６を含む光学系と、ＣＣＤイメージセンサ１４３で撮像された映像およびマイクロホン部１１１で収音された音声を外部レコーダへ出力するＨＤＭＩ出力端子１０５と、コントローラ１３０とを備える。コントローラ１３０は、動画優先モードと、動画優先モードよりも高速に光学系が駆動される静止画優先モードとの切替を制御する。また、コントローラ１３０は、ＨＤＭＩ出力端子１０５において、外部レコーダへの出力が可能な状態であることが検出された際に、操作部１８０による動画撮影モードへの変更を可能とする。【選択図】図３
2016189585.tif 000002
【特許請求の範囲】
【請求項１】
外部装置へ画像および音声の出力が可能な撮像装置において、
フォーカスレンズ、ズームレンズおよび絞りを含む光学系と、
前記光学系により形成された被写体像を撮像する撮像素子と、
収音可能なマイクロホンと、
前記撮像素子で撮像された映像および前記マイクロホンで収音された音声を前記外部装置へ出力する外部出力部と、
操作に関する入力を受け付ける操作部と、
コントローラと、を備え、
前記コントローラは、
前記光学系が駆動される第１の撮影モードと、前記第１の撮影モードよりも高速に前記光学系が駆動される第２の撮影モードの切替を制御し、
前記外部出力部において、前記外部装置への出力が可能な状態であることが検出された際に、
前記操作部による前記第１の撮影モードへの変更を可能とする
撮像装置。
【請求項２】
前記光学系は、像ぶれを補正するための補正レンズを含み、
前記補正レンズは、前記第２の撮影モードにおいて、前記第１の撮影モードより高速に駆動される
請求項１に記載の撮像装置。
【請求項３】
前記第１の撮影モードにおいて前記撮像素子が駆動されると共に、
前記第２の撮影モードにおいて前記第１の撮影モードよりも高速に前記撮像素子が駆動される
請求項１に記載の撮像装置。
【請求項４】
外部装置へ画像および音声の出力が可能な撮像装置において、
フォーカスレンズ、ズームレンズおよび絞りを含む光学系と、
前記光学系により形成された被写体像を撮像する撮像素子と、
収音可能なマイクロホンと、
前記撮像素子で撮像された映像および前記マイクロホンで収音された音声を前記外部装置へ出力する外部出力部と、
操作に関する入力を受け付ける操作部と、
コントローラと、を備え、
前記コントローラは、
前記撮像素子が駆動される第１の撮影モードと、前記第１の撮影モードよりも高速に前記撮像素子が駆動される第２の撮影モードの切替を制御し、
前記外部出力部において、前記外部装置への出力が可能な状態であることが検出された際に、
前記操作部による前記第１の撮影モードへの変更を可能とする
撮像装置。
【請求項５】
外部装置へ画像および音声の出力が可能であると共に、フォーカスレンズ、ズームレンズおよび絞りを含む光学系を備えた交換レンズを装着が可能な撮像装置本体であって、
前記光学系により形成された被写体像を撮像する撮像素子と、
収音可能なマイクロホンと、
前記撮像素子で撮像された映像および前記マイクロホンで収音された音声を前記外部装置へ出力する外部出力部と、
操作に関する入力を受け付ける操作部と、
コントローラと、を備え、
前記コントローラは、
前記光学系が駆動される第１の撮影モードと、前記第１の撮影モードよりも高速に前記光学系が駆動される第２の撮影モードの切替、または、
前記撮像素子が駆動される第１の撮影モードと、前記第１の撮影モードよりも高速に前記撮像素子が駆動される第２の撮影モードの切替、のうち少なくとも一方を制御し、
前記外部出力部において、前記外部装置への出力が可能な状態であることが検出された際に、
前記操作部による前記第１の撮影モードへの変更を可能とする
撮像装置本体。
【請求項６】
フォーカスレンズ、ズームレンズおよび絞りを含む光学系と、前記光学系により形成された被写体像を撮像する撮像素子とを含み、前記光学系が駆動される第１の撮影モードと、前記第１の撮影モードよりも高速に前記光学系が駆動される第２の撮影モードを有する第１モード群、または、前記撮像素子が駆動される第１の撮影モードと、前記第１の撮影モードよりも高速に前記撮像素子が駆動される第２の撮影モードを有する第２モード群の少なくとも一方を有し、外部装置へ画像および音声の出力が可能な撮像装置における画像音声出力方法であって、
前記外部装置への出力が可能な状態であるかを検出し、
前記外部装置への出力が可能な状態であることが検出された際に、前記第１の撮影モードへの変更を可能とする
画像音声出力方法。
【発明の詳細な説明】
【技術分野】
【０００１】
本開示は撮像した画像および収音した音声の外部装置への出力が可能な撮像装置に関する。
【背景技術】
【０００２】
動画撮影機能を持つデジタルカメラが、普及している。動画撮影機能を有するデジタルカメラは、動画と同時に音声を記録する。特許文献１には、オートフォーカス機能を備えたデジタルカメラにおいて、動画モードに設定された場合は、ウォブリングを行わないデジタルカメラが開示されている。
【先行技術文献】
【特許文献】
【０００３】
【特許文献１】特開２０１３−１７４６３５号公報
【発明の概要】
【発明が解決しようとする課題】
【０００４】
動画撮影可能な撮像装置において、外部装置へ撮像した画像および収音した音声を出力する場合、出力された音声に撮像装置のレンズ駆動に伴うノイズ音が混ざる、という課題がある。
【課題を解決するための手段】
【０００５】
本開示の撮像装置は、外部装置へ画像および音声の出力が可能な撮像装置において、フォーカスレンズ、ズームレンズおよび絞りを含む光学系と、光学系により形成された被写体像を撮像する撮像素子と、収音可能なマイクロホンと、撮像素子で撮像された映像およびマイクロホンで収音された音声を外部装置へ出力する外部出力部と、操作に関する入力を受け付ける操作部と、コントローラと、を備える。コントローラは、光学系が駆動される第１の撮影モードと、第１の撮影モードよりも高速に光学系が駆動される第２の撮影モードの切替を制御する。また、コントローラは、外部出力部において、外部装置への出力が可能な状態であることが検出された際に、操作部による第１の撮影モードへの変更を可能とする。
【発明の効果】
【０００６】
本開示の撮像装置によれば、撮像された画像および収音した音声を外部装置に出力する場合に、その音声に混ざる、撮像装置のレンズ駆動に伴うノイズ音を低減できる。
【図面の簡単な説明】
【０００７】
【図１】実施の形態１に係るデジタルカメラの正面斜視図
【図２】実施の形態１に係るデジタルカメラの背面図
【図３】実施の形態１に係るデジタルカメラの電気的構成を示すブロック図
【図４】実施の形態１に係るデジタルカメラと外部レコーダを接続した際の全体構成を示すブロック図
【図５】実施の形態１に係るデジタルカメラのＨＤＭＩ（登録商標  以下同様）接続検出処理の動作の流れを示すフローチャート
【図６】実施の形態１に係るデジタルカメラのモード選択処理の動作の流れを示すフローチャート
【図７】実施の形態１に係るデジタルカメラのモード選択画面を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
なお、以下の実施の形態では、撮像装置としてデジタルカメラを例に挙げて説明する。
【００１１】
［実施の形態１］
図１は、実施の形態１に係るデジタルカメラ１００の正面斜視図である。実施の形態１のデジタルカメラ１００（撮像装置の一例）は、マイクロホン部１１１を備え、動画撮影時にマイクロホン部１１１で収音し、画像記録と共に音声記録を行う。以下、デジタルカメラ１００の構成および動作を説明する。
【００１２】
［１．構成］
［１−１．デジタルカメラ１００の構成］
デジタルカメラ１００は、デジタルカメラ本体１０２（撮像装置本体の一例）と交換レンズ３０１を備える。また、デジタルカメラ１００は、その上面にレリーズ釦１８１、電源スイッチ１８３およびモードダイヤル１８４を備える。レリーズ釦１８１、電源スイッチ１８３およびモードダイヤル１８４は、操作部１８０を構成する。
【００１３】
また、デジタルカメラ１００は、その上面にマイクロホン部１１１を備える。マイクロホン部１１１は、マイクロホン１１１Ｌおよびマイクロホン１１１Ｒの２つのマイクロホンを含む。マイクロホン１１１Ｌおよびマイクロホン１１１Ｒはデジタルカメラ本体１０２の上面に、左右方向に並んで位置する。
【００１４】
また、デジタルカメラ１００は、デジタルカメラ本体１０２の側面にＨＤＭＩ出力端子１０５を備える。
【００１５】
図２は、実施の形態１に係るデジタルカメラ１００の背面構成図である。デジタルカメラ１００は、その背面に中央釦１８５および十字釦１８６を備える。中央釦１８５および十字釦１８６は、操作部１８０を構成する。また、デジタルカメラ１００は、その背面に表示部１９０およびビューファインダ１９１を備える。
【００１６】
図３は、実施の形態１に係るデジタルカメラ１００の電気的構成を示すブロック図である。デジタルカメラ１００は、交換レンズ３０１とデジタルカメラ本体１０２を備える。
【００１７】
交換レンズ３０１は、複数のレンズを有する光学系である。交換レンズ３０１は、レンズコントローラ３２０、レンズマウント３３０、フォーカスレンズ３１０とズームレンズ３１２を含む光学系、フォーカスレンズ駆動部３１１、ズームレンズ駆動部３１３、絞り３１６、絞り駆動部３１７、操作リング３１５、ＯＩＳ（Ｏｐｔｉｃａｌ Ｉｍａｇｅ Ｓｔａｂｉｌｉｚａｔｉｏｎ）レンズ３１８、ＯＩＳ駆動部３１９、ＤＲＡＭ３２１およびフラッシュメモリ３２２を備える。ＯＩＳは、撮影中の手ブレなどにより発生する画像のブレを光学式に補正する機能のひとつである。ＯＩＳレンズはその機能を実現するためのレンズである。
【００１８】
デジタルカメラ本体１０２は、ＣＣＤ（Ｃｈａｒｇｅ  Ｃｏｕｐｌｅｄ  Ｄｅｖｉｃｅ）イメージセンサ１４３、ＡＦＥ（Ａｎａｌｏｇ  Ｆｒｏｎｔ  Ｅｎｄ）１４４、音声入力系１１０、デジタル画像・音声処理部１２０、コントローラ１３０、ＲＡＭ１５０、外部記憶媒体１６０、ＲＯＭ１７０、操作部１８０、表示部１９０、ビューファインダ１９１、ＨＤＭＩ出力端子１０５（外部出力部の一例）およびボディマウント３４０を備える。
【００１９】
画像入力系１４０は、交換レンズ３０１、ＣＣＤイメージセンサ１４３（撮像素子の一例）およびＡＦＥ１４４により構成される。
【００２０】
以下、図１から図３に示す各部の詳細を説明する。
【００２１】
レンズコントローラ３２０は、交換レンズ３０１全体を制御する。操作リング３１５が使用者により操作されると、レンズコントローラ３２０は、ズームレンズ３１２を駆動させるよう、ズームレンズ駆動部３１３を制御する。レンズコントローラ３２０は、フォーカスレンズ３１０を駆動させるよう、フォーカスレンズ駆動部３１１を制御する。レンズコントローラ３２０は、ＯＩＳレンズ３１８（補正レンズの一例）を駆動させるよう、ＯＩＳ駆動部３１９を制御する。レンズコントローラ３２０は、絞り３１６を駆動させるよう、絞り駆動部３１７を制御する。
【００２２】
フォーカスレンズ３１０、ズームレンズ３１２、ＯＩＳレンズ３１８および絞り３１６（以降、「各レンズおよび絞り」と言う）は、それらの動きが速いときに駆動時に発生する音と振動とが大きくなり、それらの動きが遅いときに駆動時に発生する音と振動とが小さくなる。
【００２３】
静止画を撮影する際には、シャッターチャンスを逃さないように、各レンズおよび絞りを素早く目標値に追従させるように、それらの動きを速くした方が望ましい。このような静止画に適したレンズ制御のモードを「静止画優先モード」と呼ぶ。
【００２４】
動画を撮影する際には、各レンズおよび絞りを素早く動かすと、映像が不自然になり違和感が発生する恐れがあり、また、それらの駆動時に発生する音が大きく記録される恐れがある。従って、動画を撮影する際には、各レンズおよび絞りをゆっくりと目標値に追従させるように、それらの動きを遅くした方が望ましい。このような動画に適したレンズ制御のモードを「動画優先モード」と呼ぶ。
【００２５】
なお、動画優先モードは、本開示に係る第１の撮影モードの一例であり、静止画優先モードは、本開示に係る第２の撮影モードの一例である。
【００２６】
上記レンズ制御に関して、静止画優先モードでは、動画優先モードよりも高速に光学系が駆動される。ここで、高速に光学系が駆動されるとは、光学系に含まれるフォーカスレンズ３１０、ズームレンズ３１２、ＯＩＳレンズ３１８および絞り３１６の少なくとも１つが高速に駆動されることを意味する。また、高速に駆動されるとは、同じ部材同士を異なるモードで比較した場合の相対的な速度である。例えば、静止画優先モードでは、動画優先モードよりも高速にフォーカスレンズ３１０が駆動されるとした場合、静止画優先モードのフォーカスレンズ３１０は、動画優先モードのフォーカスレンズ３１０よりも高速で駆動されるという意味である。
【００２７】
レンズコントローラ３２０は、ＤＲＡＭ３２１やフラッシュメモリ３２２に接続されており、必要に応じてそれらに情報を書き込んだり、それらから情報を読み出したりすることができる。また、レンズコントローラ３２０は、レンズマウント３３０を介して、コントローラ１３０と通信することができる。尚、コントローラ１３０は、ハードワイヤードな電子回路で構成してもよいし、プログラムを用いたマイクロコンピュータなどで構成してもよい。
【００２８】
レンズマウント３３０は、デジタルカメラ本体１０２が備えるボディマウント３４０と相俟って、交換レンズ３０１およびデジタルカメラ本体１０２が機械的および電気的に接続するための接続部材である。交換レンズ３０１とデジタルカメラ本体１０２とが機械的および電気的に接続されると、レンズコントローラ３２０と、コントローラ１３０とは通信可能な状態となる。
【００２９】
ＤＲＡＭ３２１は、レンズコントローラ３２０による各種制御の際のワークメモリとして使用される。また、フラッシュメモリ３２２は、レンズコントローラ３２０による各種制御の際に使用するプログラムやパラメータ、レンズデータ等を格納している。
【００３０】
フォーカスレンズ３１０は、交換レンズ３０１の光学系に入射されＣＣＤイメージセンサ１４３上に形成される被写体像のフォーカス状態を変化させるためのレンズである。フォーカスレンズ３１０のレンズ構成は何枚でも何群でもよい。フォーカスレンズ駆動部３１１は、レンズコントローラ３２０から通知される制御信号に基づいてフォーカスレンズ３１０を光学系の光軸に沿って進退するように駆動する。尚、フォーカスレンズ駆動部３１１は、例えばステッピングモータ、ＤＣモータ、超音波モータなどにより実現できる。
【００３１】
ズームレンズ３１２は、交換レンズ３０１の光学系で形成される被写体像の倍率を変化させるためのレンズである。ズームレンズ３１２のレンズ構成は何枚でも何群でもよい。ズームレンズ駆動部３１３は、レンズコントローラ３２０から通知される制御信号に基づいてズームレンズ３１２を光学系の光軸に沿って進退するように駆動する。尚、ズームレンズ駆動部３１３は、例えばステッピングモータ、ＤＣモータ、超音波モータなどにより実現できる。
【００３２】
ＯＩＳレンズ３１８は、交換レンズ３０１の光学系で形成される被写体像のぶれを補正するためのレンズである。具体的には、ＯＩＳレンズ３１８は、デジタルカメラ１００のぶれによって生じる被写体像のぶれを補正する。ＯＩＳレンズ３１８は、デジタルカメラ１００のぶれを相殺する方向に移動することにより、ＣＣＤイメージセンサ１４３と被写体像との相対的なぶれを小さくする。具体的には、ＯＩＳレンズ３１８は、デジタルカメラ１００のぶれを相殺する方向に移動することにより、ＣＣＤイメージセンサ１４３上の被写体像のぶれを小さくする。ＯＩＳレンズ３１８は、１枚又は複数枚のレンズで構成される。ＯＩＳ駆動部３１９は、光学系の光軸に垂直な面内でＯＩＳレンズ３１８を駆動する。
【００３３】
絞り３１６は、複数の機械羽根を開閉可能に構成されている。絞り３１６は、交換レンズ３０１の光学系に入射する光量を調節することができる調節部材である。絞り駆動部３１７は、レンズコントローラ３２０から通知される制御信号に基づいて、絞り３１６の機械羽根の開閉状態を変化させるよう駆動する。尚、絞り駆動部３１７は、例えば、ステッピングモータ、ＤＣモータ、超音波モータなどにより実現できる。
【００３４】
操作リング３１５は、交換レンズ３０１の外面に備わる操作部材である。操作リング３１５は、交換レンズ３０１に対して相対的に回転するように構成されている。操作リング３１５の回転位置や、回転速度は不図示の検出部により検出されて、レンズコントローラ３２０に通知される。レンズコントローラ３２０は、通知された操作リング３１５の回転位置や回転速度に基づいて、ズームレンズ３１２の駆動部に対して駆動制御信号を供給することができる。操作リング３１５が操作されると、ズームレンズ３１２を駆動させるよう、レンズコントローラ３２０はズームレンズ駆動部３１３に駆動制御信号を供給する。
【００３５】
ボディマウント３４０は、交換レンズ３０１が備えるレンズマウント３３０と相俟って、交換レンズ３０１およびデジタルカメラ本体１０２が機械的及び電気的に接続するための接続部材である。交換レンズ３０１とデジタルカメラ本体１０２とが機械的および電気的に接続されると、レンズコントローラ３２０と、コントローラ１３０とは通信可能な状態となる。ボディマウント３４０は、コントローラ１３０から受信した露光同期信号やその他制御信号を、レンズマウント３３０を介してレンズコントローラ３２０に通知する。また、ボディマウント３４０は、レンズマウント３３０を介してレンズコントローラ３２０から受信した信号をコントローラ１３０に通知する。
【００３６】
ＣＣＤイメージセンサ１４３は、交換レンズ３０１を通して形成された被写体像を撮像して画像情報を生成する。ＣＣＤイメージセンサ１４３は、デジタルカメラ１００が撮影モードにあるとき、一定時間ごとに新しいフレームの画像情報を生成することができる。なお、本実施の形態では、撮像素子として、ＣＣＤイメージセンサ１４３を用いるが、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサや、ＮＭＯＳ（Ｎｅｇａｔｉｖｅ ｃｈａｎｎｅｌ Ｍｅｔａｌ Ｏｘｉｄｅ Ｓｅｍｉｃｏｎｄｕｃｔｏｒ）イメージセンサなど他の撮像素子であってもよい。
【００３７】
ＡＦＥ１４４は、ＣＣＤイメージセンサ１４３から読み出された画像情報に対して、相関二重サンプリングによる雑音抑圧、アナログゲインコントローラによるＡ／Ｄコンバータの入力レンジ幅への増幅、Ａ／ＤコンバータによるＡ／Ｄ変換を施す。その後、ＡＦＥ１４４は、画像情報をデジタル画像・音声処理部１２０に出力する。
【００３８】
音声入力系１１０は、マイクロホン部１１１およびアナログ音声処理部１１５を備える。マイクロホン部１１１は、マイクロホン１１１Ｌ、１１１Ｒを含む。マイクロホン部１１１は、音響信号を各マイクロホンにより電気信号に変換して、アナログ音声処理部１１５に入力する。アナログ音声処理部１１５は、処理した音声信号をＡ／ＤコンバータによりＡ／Ｄ変換し、デジタル画像・音声処理部１２０に出力する。
【００３９】
デジタル画像・音声処理部１２０は、ＡＦＥ１４４から出力された画像情報およびアナログ音声処理部１１５から出力された音声信号に対して各種の処理を施す。例えば、デジタル画像・音声処理部１２０は、コントローラ１３０からの指示に従って、画像情報に対してガンマ補正やホワイトバランス補正、傷補正、符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体的に１つの半導体チップとして実現してもよい。
【００４０】
表示部１９０は、デジタルカメラ１００の背面に配置される。本実施の形態では、表示部１９０は、液晶ディスプレイである。表示部１９０は、デジタル画像・音声処理部１２０にて処理された画像情報に基づく画像を表示する。表示部１９０が表示する画像には、スルー画像、再生画像、制御選択画面、警告画面および電源終了画面などがある。
【００４１】
スルー画像は、ＣＣＤイメージセンサ１４３により一定時間ごとに連続的に新たに生成されるフレームの画像である。通常、デジタルカメラ１００は撮影モードに設定されている。そして、デジタル画像・音声処理部１２０は、静止画撮影を行っていない待機状態または動画撮影状態にあるときに、ＣＣＤイメージセンサ１４３の生成した画像情報からスルー画像を生成する。使用者は、表示部１９０に表示されるスルー画像を参照することにより、被写体の構図を確認しながら被写体を撮影できる。
【００４２】
再生画像は、デジタルカメラ１００が再生モードにあるときに、デジタル画像・音声処理部１２０により生成される。再生画像は、外部記憶媒体１６０等に記録された高画素の記録画像を、表示部１９０のサイズに合わせて低画素に縮小した画像である。外部記憶媒体１６０に記録される高画素の画像情報は、レリーズ釦１８１が使用者による所定の操作を受け付けた後に、ＣＣＤイメージセンサ１４３が生成した画像情報に基づいて、デジタル画像・音声処理部１２０により生成される。
【００４３】
制御選択画面には、使用者が各種設定を選択決定するためのメニュー画面、および、ＨＤＭＩ出力端子に外部の機器が接続された場合に表示されるモード選択画面などがある。メニュー画面は、例えば、スルー画像表示中に使用者が操作部１８０を操作することにより表示される。モード選択画面の詳細については後述する。
【００４４】
静止画または動画の撮影中であるモードを撮影モードと呼ぶ。静止画または動画を撮影中でないときに表示部１９０がスルー画像を表示するモードをライブモードと呼ぶ。表示部１９０が再生画像を表示するモードを再生モードと呼ぶ。表示部１９０がメニュー画面を表示するモードをメニューモードと呼ぶ。表示部１９０が表示する表示内容は、ビューファインダ１９１が表示することもできる。
【００４５】
コントローラ１３０は、デジタルカメラ１００全体の動作を統括制御する。コントローラ１３０は、ＨＤＭＩ出力端子１０５に、後述するＨＤＭＩケーブル４２０が挿入されたことを検出する。また、コントローラ１３０は、ＨＤＭＩ出力端子１０５に挿入されたＨＤＭＩケーブル４２０が、後述する外部レコーダ４００などの外部の機器と接続され通信が確立されたことを検出する。コントローラ１３０によるＨＤＭＩケーブル挿入検出および外部機器接続通信検出の詳細に関しては後述する。コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。
【００４６】
ＲＯＭ１７０は、コントローラ１３０が実行するための、オートフォーカス制御（ＡＦ制御）や自動露出制御（ＡＥ制御）、ストロボの発光制御などに関するプログラムの他、デジタルカメラ１００全体の動作を統括制御するためのプログラムを格納している。ＲＯＭ１７０は、デジタルカメラ１００に関する各種条件および設定を記憶する。本実施の形態では、ＲＯＭ１７０は、フラッシュＲＯＭである。なお、ＲＯＭ１７０は、コントローラ１３０の外部に（コントローラ１３０とは別体として）存在している必要はなく、コントローラ１３０の内部に組み込まれていてもよい。
【００４７】
ＲＡＭ１５０は、デジタル画像・音声処理部１２０およびコントローラ１３０のワークメモリとして機能する。ＲＡＭ１５０は、ＳＤＲＡＭやフラッシュメモリなどで実現できる。ＲＡＭ１５０は、画像情報および音声信号などを記録するための内部メモリとしても機能する。
【００４８】
外部記憶媒体１６０は、内部にフラッシュメモリ等の不揮発性の記録部を備えた外部メモリである。外部記憶媒体１６０は、デジタル画像・音声処理部１２０で処理される画像情報および音声信号などのデータを記録可能である。
【００４９】
操作部１８０は、デジタルカメラ１００の外装に配置される操作釦や操作ダイヤルなどの操作インターフェースの総称である。操作部１８０は、使用者による操作を受け付ける。例えば、図１、図２および図３に示したレリーズ釦１８１、電源スイッチ１８３、モードダイヤル１８４、中央釦１８５および十字釦１８６などがこれにあたる。操作部１８０は、使用者による操作を受け付けると、コントローラ１３０に種々の動作を指示する信号を通知する。
【００５０】
レリーズ釦１８１は、半押し状態と全押し状態の二段階に遷移する押下式釦である。レリーズ釦１８１が使用者により半押しされると、コントローラ１３０は、ＡＦ（Ａｕｔｏ  Ｆｏｃｕｓ）制御やおよび／またはＡＥ（Ａｕｔｏ  Ｅｘｐｏｓｕｒｅ）制御などを実行し、撮影条件を決定する。続いて、レリーズ釦１８１が使用者により全押しされると、コントローラ１３０は、全押しのタイミングに撮像された画像情報を外部記憶媒体１６０などに記録する。
【００５１】
電源スイッチ１８３は、デジタルカメラ１００の各部への電力供給をＯＮ／ＯＦＦするためのスライド式スイッチである。電源ＯＦＦ時に電源スイッチ１８３が使用者により右方にスライドされると、コントローラ１３０は、デジタルカメラ１００の各部に電力を供給し、各部を起動させる。電源ＯＮ時に電源スイッチ１８３が使用者により左方にスライドされると、コントローラ１３０は、デジタルカメラ１００の各部への電力供給を停止する。
【００５２】
モードダイヤル１８４は、回転式のダイヤルである。モードダイヤル１８４が使用者により回転されると、コントローラ１３０は、デジタルカメラ１００の動作モードを、モードダイヤル１８４の現在の回転位置に対応する動作モードに切り替える。動作モードとは、例えば、オート撮影モード、マニュアル撮影モード、シーン選択モードなどである。なお、オート撮影モード、マニュアル撮影モードおよびシーン選択モードを、総称して撮影モードと呼ぶものとする。
【００５３】
中央釦１８５は、押下式釦である。デジタルカメラ１００が撮影モードあるいは再生モードにあるときに、中央釦１８５が使用者により押下されると、コントローラ１３０は、表示部１９０にメニュー画面を表示する。メニュー画面とは、使用者に様々な撮影条件および再生条件を設定させるための画面である。メニュー画面上で使用者により各種条件の設定項目の値が選択されている状態で中央釦１８５が押下されると、その設定項目がその値に決定される。決定された設定は、ＲＯＭ１７０に記憶される。
【００５４】
十字釦１８６は、上下左右方向に設けられた４つの押下式釦を備える。使用者は、十字釦１８６のいずれかの方向の釦を押下することにより、メニュー画面上に表示される各種条件の設定項目の値を選択することができる。
【００５５】
［１−２．デジタルカメラ１００を外部装置に接続した際の全体構成］
図４は、実施の形態１に係るデジタルカメラ１００と外部レコーダ４００を接続した際の全体構成を示すブロック図である。外部レコーダ４００（外部装置の一例）は、ＨＤＭＩ入力を受け付けるためのＨＤＭＩ入力端子４１０を備える。デジタルカメラ１００のＨＤＭＩ出力端子１０５にＨＤＭＩケーブル４２０の一端が接続され、外部レコーダ４００のＨＤＭＩ入力端子４１０にＨＤＭＩケーブル４２０の他端が接続されると、デジタルカメラ１００は、外部レコーダ４００と、ＨＤＭＩケーブル４２０を介して接続される。
【００５６】
［２．動作］
デジタルカメラ１００を外部レコーダ４００とＨＤＭＩ接続した際の動作について説明する。
【００５７】
図５は、実施の形態１に係るデジタルカメラ１００のＨＤＭＩ接続検出処理の動作の流れを示すフローチャートである。
【００５８】
ステップＳ５１０において、コントローラ１３０は、ＨＤＭＩ出力端子１０５にＨＤＭＩケーブル４２０が挿入されたか否かを判定する。具体的には、コントローラ１３０は、例えばＨＤＭＩケーブル４２０の一端がＨＤＭＩ出力端子１０５に物理的に挿入されたことを検出した場合に、ＨＤＭＩケーブル４２０が挿入されたと判定する。物理的に挿入されたことの検出は、例えばＨＤＭＩケーブル４２０とＨＤＭＩ出力端子１０５とが電気的に接触したことを検出することによって行う。コントローラ１３０が、ＨＤＭＩ出力端子１０５にＨＤＭＩケーブル４２０が挿入されたと判定したら（挿入検出ＯＮ）、ステップＳ５２０に移行する。そうでなければ、ステップＳ５１０のままで、移行しない。
【００５９】
ステップＳ５２０において、コントローラ１３０は、外部レコーダ４００とデジタルカメラ１００との通信が確立されたか否かを判定する。コントローラ１３０は、例えば、予め定められた送受信シーケンスに基づいて送信したコマンドに対する適切なコマンドを受信した場合に、通信が確立されたと判定する。コントローラ１３０が、外部レコーダ４００とデジタルカメラ１００との通信が確立されたと判定したら（通信確立ＯＫ）、ステップＳ５３０に移行する。そうでなければ、ステップＳ５１０に移行する。
【００６０】
なお、本実施の形態では、ステップＳ５１０およびステップＳ５２０の２つのステップで、デジタルカメラ１００と外部レコーダ４００との接続を判定し、外部レコーダ４００への出力が可能な状態であることを検出した。すなわち、ステップＳ５１０では、ＨＤＭＩ出力端子１０５にＨＤＭＩケーブル４２０が挿入されたか否かを判定することで、外部レコーダ４００への出力が可能な状態であることを検出した。ステップＳ５２０では、外部レコーダ４００とデジタルカメラ１００との通信が確立されたか否かを判定することで、外部レコーダ４００への出力が可能な状態であることを検出した。しかしながら、いずれか１つのステップのみで接続を判定することで、外部レコーダ４００への出力が可能な状態であることを検出してもよい。
【００６１】
ステップＳ５３０において、コントローラ１３０は、デジタルカメラ１００がライブモードであるか否かを判定する。コントローラ１３０が、デジタルカメラ１００はライブモードであると判定したら、ステップＳ５４０に移行する。そうでなければ、ステップＳ５６０に移行する。
【００６２】
ステップＳ５６０において、コントローラ１３０は、デジタルカメラ１００がメニューモードであるか否かを判定する。コントローラ１３０が、デジタルカメラ１００はメニューモードであると判定したら、ステップＳ５７０に移行する。そうでなければ、ステップＳ５８０に移行する。
【００６３】
ステップＳ５７０において、コントローラ１３０は、操作部１８０が何らかの操作を受け付けたか否かを判定する。コントローラ１３０が、操作部１８０は何らかの操作を受け付けたと判定したら、ステップＳ５４０に移行する。そうでなければ、ステップＳ５１０に移行する。
【００６４】
ステップＳ５８０において、コントローラ１３０は、デジタルカメラ１００が撮影モードであるか否かを判定する。コントローラ１３０が、デジタルカメラ１００は撮影モードであると判定したら、ステップＳ５９０に移行する。そうでなければ（例えば再生モードであれば）、ステップＳ５１０に移行する。ステップＳ５９０において、コントローラ１３０は、デジタルカメラ１００の撮影モードが終了したか否かを判定する。コントローラ１３０が、デジタルカメラ１００の撮影モードが終了したと判定したら、ステップＳ５４０に移行する。そうでなければ、ステップＳ５８０に移行する。
【００６５】
ステップＳ５４０において、コントローラ１３０は、モード選択処理を行う。モード選択処理の詳細については後述する。モード選択処理が終わったら、処理を終了する。
【００６６】
図６は、実施の形態１に係るデジタルカメラ１００のモード選択処理の動作の流れを示すフローチャートである。モード選択処理ステップＳ５４０では、まず、モード選択画面表示ステップＳ６１０に移行する。モード選択画面表示ステップＳ６１０において、コントローラ１３０は、後述するモード選択画面を表示するが、その表示先が表示部１９０である場合と、その表示先がビューファインダ１９１である場合とがある。コントローラ１３０が、モード選択画面を表示部１９０またはビューファインダ１９１に表示したら、ステップＳ６２０に移行する。
【００６７】
ステップＳ６２０において、コントローラ１３０は、デジタルカメラ１００が動画優先モードであるか否かを判定する。使用者は、モード選択画面において、デジタルカメラ１００のモードを動画優先モードにするか静止画優先モードにするかを選択し、決定することが出来る。コントローラ１３０が、デジタルカメラ１００のモードは動画優先モードであると判定したら、ステップＳ６３０に移行する。ステップＳ６３０において、コントローラ１３０は、モードを動画優先モードにして、その後にステップＳ６５０に移行する。
【００６８】
ステップＳ６２０において、コントローラ１３０が、デジタルカメラ１００のモードは動画優先モードでない、すなわち静止画優先モードであると判定したら、ステップＳ６４０に移行する。ステップＳ６４０において、コントローラ１３０は、モードを静止画優先モードにして、その後にステップＳ６５０に移行する。
【００６９】
ステップＳ６５０において、コントローラ１３０は、モードを動画優先モードにするか静止画専用モードにするかの選択が決定されたか否かを判定する。コントローラ１３０が、モードの選択が決定されたと判定したら、モード選択処理を終了する。そうでなければ、ステップＳ６１０に移行する。
【００７０】
図７は、実施の形態１に係るデジタルカメラ１００のモード選択画面を示す図である。前述したように、コントローラ１３０は、モード選択処理ステップＳ５４０において、このモード選択画面を、表示部１９０またはビューファインダ１９１に表示する。使用者は、操作部１８０を操作して、動画優先モードキー７１０または静止画優先モードキー７２０を選択する。このとき使用者が操作する操作部１８０としては、例えば十字釦１８６が適している。使用者が動画優先モードキーを選択した場合、コントローラ１３０は、デジタルカメラ１００のモードを動画優先モードにする。そうでない場合、コントローラ１３０は、デジタルカメラ１００のモードを静止画優先モードにする（つまり、初期設定は静止画優先モードである）。使用者が、動画優先モードキー７１０または静止画優先モードキー７２０を選択したのちに、操作部１８０を操作して決定キー７３０を押下した場合、コントローラ１３０は、モードを動画優先モードにするか静止画専用モードにするかの選択が決定されたと判定し、モード選択処理ステップＳ５４０を終了する。
【００７１】
［３．まとめ］
本実施の形態におけるデジタルカメラ１００は、外部レコーダ４００へ画像および音声の出力が可能なデジタルカメラ１００である。デジタルカメラ１００は、光学系、ＣＣＤイメージセンサ１４３、マイクロホン部１１１、ＨＤＭＩ出力端子１０５、操作部１８０およびコントローラ１３０を備える。光学系は、フォーカスレンズ３１０、ズームレンズ３１２および絞り３１６を含む。ＣＣＤイメージセンサ１４３は、光学系により形成された被写体像を撮像する。マイクロホン部１１１は、収音可能である。ＨＤＭＩ出力端子１０５は、ＣＣＤイメージセンサ１４３で撮像された映像およびマイクロホン部１１１で収音された音声を外部レコーダ４００へ出力する。操作部１８０は、操作に関する入力を受け付ける。コントローラ１３０は、フォーカスレンズ３１０、ズームレンズ３１２および絞り３１６が駆動される動画優先モードと、動画優先モードよりも高速にフォーカスレンズ３１０、ズームレンズ３１２および絞り３１６が駆動される静止画優先モードの切替を制御する。また、コントローラ１３０は、ＨＤＭＩ出力端子１０５において、外部レコーダ４００への出力が可能な状態であることが検出された際に、操作部１８０による動画撮影モードへの変更を可能とする。
【００７２】
ここで、外部レコーダ４００への出力が可能な状態とは、デジタルカメラ１００が、ＨＤＭＩ出力端子１０５にＨＤＭＩケーブル４２０が物理的に挿入されていることを検出した状態、または、外部レコーダ４００とデジタルカメラ１００との通信が確立した状態である。
【００７３】
使用者は、操作部１８０を用いて動画撮影モードへの変更を行うことができる。これにより、デジタルカメラ１００は、フォーカスレンズ３１０、ズームレンズ３１２および絞り３１６をゆっくりと目標値に追従させるように駆動し、駆動時に発生する音を低減できる。したがって、デジタルカメラ１００は、マイクロホン部１１１により収音されるフォーカスレンズ３１０、ズームレンズ３１２および絞り３１６の駆動に伴うノイズ音を低減でき、デジタルカメラ１００から出力された映像および音声を記録した外部レコーダ４００における音声中のノイズ音を低減できる。
【００７４】
［他の実施の形態］
以上のように、本出願において開示する技術の例示として、実施の形態１を説明した。しかしながら、本開示における技術は、これに限定されず、変更、置き換え、付加、省略などを行った実施の形態にも適用できる。
【００７５】
そこで、以下、他の実施の形態を例示する。
【００７６】
上記実施の形態において、交換レンズ３０１とデジタルカメラ本体１０２とからなるデジタルカメラ１００について説明した。デジタルカメラ１００は、交換レンズ方式に限定されず、レンズが一体となったデジタルカメラであってもよい。レンズ等を動画優先モードと静止画優先モードという駆動速度の異なる２つのモードで駆動するデジタルカメラであればよい。
【００７７】
上記実施の形態において、外部装置として外部レコーダ４００を接続する形態について説明した。外部装置は、外部レコーダに限定されず、たとえばＴＶ等の映像音声出力装置であってもよい。デジタルカメラ１００で撮像された映像および音声を、より大画面のＴＶで視聴する場合に、音声中のレンズ等の駆動に伴うノイズ音を低減できる。
【００７８】
上記実施の形態において、外部レコーダ４００との接続にＨＤＭＩを用いる形態について説明した。外部装置との接続は、ＨＤＭＩに限定されず、例えば、無線接続やＳＤＩ（Ｓｅｒｉａｌ  Ｄｉｇｉｔａｌ  Ｉｎｔｅｒｆａｃｅ）であってもよい。すなわち、デジタルカメラ１００が撮像した画像および収音した音声を、外部装置へ出力できる方式であればどのような方式であってもよい。
【００７９】
上記実施の形態において、動画優先モードまたは静止画優先モードを選択する際に、操作部１８０として十字釦１８６を用いた場合について説明した。表示部１９０がタッチパネルである場合には、タッチパネル操作によって、モード選択を行っても良い。また、表示画面として、動画優先モードと静止画優先モードを選択する画面を例示したが、動画優先モードへの切替を行うか否かを使用者に確認する画面を表示してもよい。
【００８０】
上記実施の形態において、交換レンズ３０１が、ＯＩＳレンズ３１８およびＯＩＳ駆動部３１９を備える構成について説明したが、ＯＩＳレンズ３１８およびＯＩＳ駆動部３１９を持たない交換レンズであってもよい。この場合、フォーカスレンズ３１０、ズームレンズ３１２および絞り３１６の駆動に伴うノイズを低減できる。
【００８１】
上記実施の形態において、収音装置を備えた撮像装置としてデジタルカメラ１００を例に挙げて説明した。しかしながら、動画撮影（音声記録）が可能な機器であればよい。すなわち、ビデオカメラであってもよい。
【００８２】
上記実施の形態において、撮影中の手ブレなどにより発生する画像のブレを光学式に補正する機能のひとつとしてＯＩＳ（Ｏｐｔｉｃａｌ Ｉｍａｇｅ Ｓｔａｂｉｌｉｚａｔｉｏｎ，レンズを手ぶれに応じて移動させる方式）を例に挙げて説明した。しかしながら、撮影中の手ブレなどにより発生する画像のブレを光学式に補正する機能はＢＩＳ（Ｉｍａｇｅ  Ｓｔａｂｉｌｉｚａｔｉｏｎ  ｉｎ  ｔｈｅ  Ｂｏｄｙ，撮像素子を手ぶれに応じて移動させる方式）を含んでもよい。
【００８３】
例えば、変形例１として、図５および図６に示すステップＳ５４０の「モード選択処理」において、ＯＩＳ制御のモードだけでなくＢＩＳ制御のモードも選択する構成を説明する。
【００８４】
変形例１では、図６に示すステップＳ６３０において、コントローラ１３０は、レンズ制御だけでなく撮像素子制御も動画優先モードにする。すなわち、動画優先モードにおいて、動画を撮影する際に、各レンズおよび絞りだけでなく撮像素子もゆっくりと目標値に追従させるように、それらの動きを遅くする。また、ステップＳ６４０において、コントローラ１３０は、レンズ制御だけでなく撮像素子制御も静止画優先モードにする。すなわち、静止画優先モードにおいて、静止画を撮影する際に、シャッターチャンスを逃さないように、各レンズおよび絞りだけでなく撮像素子も素早く目標値に追従させるように、それらの動きを速くする。
【００８５】
次に、変形例２として、画像のブレを光学式に補正する機能がＢＩＳを含んでいる場合に、図５および図６に示すステップＳ５４０の「モード選択処理」において、ＯＩＳ制御ではなくＢＩＳ制御のモードを選択する構成を説明する。変形例２は、ＯＩＳの機能を有していない撮像装置にも適用できる。
【００８６】
変形例２では、図６に示すステップＳ６３０において、コントローラ１３０は、レンズ制御ではなく撮像素子制御を動画優先モードにする。すなわち、動画優先モードにおいて、動画を撮影する際に、撮像素子をゆっくりと目標値に追従させるように、撮像素子の動きを遅くする。また、ステップＳ６４０において、コントローラ１３０は、レンズ制御ではなく撮像素子制御を静止画優先モードにする。すなわち、静止画優先モードにおいて、静止画を撮影する際に、シャッターチャンスを逃さないように、撮像素子を素早く目標値に追従させるように、撮像素子の動きを速くする。
【産業上の利用可能性】
【００８７】
本開示の技術によれば、デジタルカメラ、ムービーカメラなどにも適用可能である。
【符号の説明】
【００８８】
１００    デジタルカメラ（撮像装置の一例）
１０２    デジタルカメラ本体（撮像装置本体の一例）
１０５    ＨＤＭＩ出力端子（外部出力部の一例）
１１０    音声入力系
１１１    マイクロホン部
１１１Ｌ    マイクロホン
１１１Ｒ    マイクロホン
１１５    アナログ音声処理部
１２０    デジタル画像・音声処理部
１３０    コントローラ
１４０    画像入力系
１４３    ＣＣＤイメージセンサ（撮像素子の一例）
１５０    ＲＡＭ
１６０    外部記憶媒体
１７０    ＲＯＭ
１８０    操作部
１８１    レリーズ釦
１８３    電源スイッチ
１８４    モードダイヤル
１８５    中央釦
１８６    十字釦
１９０    表示部
１９１    ビューファインダ
３０１    交換レンズ
３１０    フォーカスレンズ
３１１    フォーカスレンズ駆動部
３１２    ズームレンズ
３１３    ズームレンズ駆動部
３１５    操作リング
３１６    絞り
３１７    絞り駆動部
３１８    ＯＩＳレンズ（補正レンズの一例）
３１９    ＯＩＳ駆動部
３２０    レンズコントローラ
３２１    ＤＲＡＭ
３２２    フラッシュメモリ
３３０    レンズマウント
３４０    ボディマウント
４００    外部レコーダ（外部装置の一例）
４１０    ＨＤＭＩ入力端子
４２０    ＨＤＭＩケーブル
【図１】
2016189585.tif 000003
【図２】
2016189585.tif 000004
【図３】
2016189585.tif 000005
【図４】
2016189585.tif 000006
【図５】
2016189585.tif 000007
【図６】
2016189585.tif 000008
【図７】
2016189585.tif 000009